(57)【要約】【課題】発光ダイオードに用いられるレンズの提供。【解決手段】本考案は発光ダイオードに用いられるレンズに関し、本体に中心軸及びスダンドを備え、且つ中心軸に対し線対向する。前記レンズは発光ダイオードに固定され、更に第一レンズ部と第二レンズ部を含み、光線が第一レンズ部に入射する時、光線を反射して、発出した大部分の光線を大体中心軸と平行させる。そして、第一レンズ部を通じて反射してから発出された大部分の光線が第二レンズ部に入射する時、第二レンズ部は光線を反射して、発出した大部分の光線を導出させて且つ中央軸と垂直して、したがって、本考案のレンズは光源の方向を制御できる構造を備えるである。【選択図】図２
0003119709.tif 000002
【実用新案登録請求の範囲】
【請求項１】
発光ダイオードに用いられるレンズであり、本体には更に中心軸を含み、中心軸に対し、線対向する、前記レンズは発光ダイオードに固定され、更に、第一レンズ部を含み、これにより、光線が第一レンズ部入射すると、光線を反射して、発出した大部分の光線が大体中心軸と平行して、及び第二レンズ部を含み、第一レンズ部を通じて反射してから発出された大部分の光線が第二レンズ部に入射する時、第二レンズ部は光線を反射して、発出した大部分の光線を導出させ、且つ中央軸と垂直させることを特徴とする、発光ダイオードに用いられるレンズ。
【請求項２】
前記レンズは、更にスダンドを含み、このレンズを発光ダイオードに固定させることを特徴とする請求項１に記載の発光ダイオードに用いられるレンズ。
【請求項３】
前記スダンドは中心軸と垂直することを特徴とする請求項２に記載の発光ダイオードに用いられるレンズ。
【請求項４】
前記レンズは、ダイヤモンド研磨を通じて製造されることを特徴とする請求項１に記載の発光ダイオードに用いられるレンズ。
【請求項５】
前記レンズは、モールドに注入して製造されることを特徴とする請求項１に記載の発光ダイオードに用いられるレンズ。
【請求項６】
前記レンズは、鋳型で製造されることを特徴とする請求項１に記載の発光ダイオードに用いられるレンズ。
【請求項７】
前記レンズは、精密な研磨で製造されることを特徴とする請求項１に記載の発光ダイオードに用いられるレンズ。
【請求項８】
前記発光ダイオードは、赤い発光ダイオードで、青い発光ダイオードで、緑の発光ダイオードで、或いは白い発光ダイオードであることを特徴とする請求項１に記載の発光ダイオードに用いられるレンズ。
【請求項９】
前記第二レンズ部は、中心軸のＶ形を含み、中心軸から離れて、中心軸と平行する線形を持って、第一レンズ部を構成することを特徴とする請求項１に記載の発光ダイオードに用いられるレンズ。
【請求項１０】
前記第二レンズ部は、中心軸のＶ形部分を含み、中心軸から離れて、中心軸と角度のある線形を持って、第一レンズ部を構成することを特徴とする請求項１に記載の発光ダイオードに用いられるレンズ。
【請求項１１】
前記第一レンズ部は、大抵碗形のレンズとなることを特徴とする請求項１に記載の発光ダイオードに用いられるレンズ。
【請求項１２】
前記第二レンズ部は、大抵大抵Ｍ形のレンズとなることを特徴とする請求項１に記載の発光ダイオードに用いられるレンズ。
【請求項１３】
前記第一レンズ部は、更に導光室を含むことを特徴とする請求項１に記載の発光ダイオードに用いられるレンズ。
【請求項１４】
前記導光室は、第一導光面と第二導光面を含み、前記第一導光面が凹形となることを特徴とする請求項１に記載の発光ダイオードに用いられるレンズ。
【請求項１５】
前記レンズは、透明材質であることを特徴とする請求項１に記載の発光ダイオードに用いられるレンズ。
【請求項１６】
光線がその第一導光面に射入すると、前記第一導光面は光線を集光することを特徴とする請求項１４に記載の発光ダイオードに用いられるレンズ。
【請求項１７】
光線がその第二導光面に射入すると、前記第二導光面は光線を屈折することを特徴とする請求項１４に記載の発光ダイオードに用いられるレンズ。
【請求項１８】
前記第二レンズ部の出光面に蛍光剤を塗られることを特徴とする請求項１に記載の発光ダイオードに用いられるレンズ。
【考案の詳細な説明】
【技術分野】
【０００１】
本考案は発光ダイオードに用いられるレンズに関し、特に、光源の方向を制御できる構造を介して、有効に発光ダイオードが発出した光源の方向を制御することを備えるレンズである。
【背景技術】
【０００２】
現在、いろいろな通信製品はほとんど発光ダイオードを光源として、発光ダイオードは広く又はよく採用されたのは、主に、発光ダイオードが省エネルギーになるとともに、環境にやさしくて、値段の高い接線をあまり使用しないことなどの利点があり、尚、白熱電球と比べると発光ダイオードのほうは反応が非常に速くて、更に、発光ダイオードが他の光源より損害しにくい。特に他の光源に代えて発光ダイオードを用いる時、発光ダイオードは必要な空間が大部分の他形態の光源より小さい。
【０００３】
しかしながら、早期の発光ダイオードは、その導出された光源の強さが他形態からの光源よりよくない欠点があって、最近、メーカーは絶えず発光ダイオードにおける研究発展をしていたことを通じて、高い光度の発光ダイオードを発展していた。しかし、それと合わせて用いられた従来のレンズは、有効に発光ダイオードが導出した光源の方向を制御することができないため、従来のレンズは発光ダイオードにおける光源の強さが分散導出したことによって、集中できない。その場合、メーカーは光源を集中させて、好ましい光源強さを達するために、複数の発光ダイオードを集めることによって光源強さを増やし、コストが相対的に大幅に増えてきた。
【０００４】
従って、従来のレンズにおける構成の妨げにより、発光ダイオードは導出した光源が有効に向上させなくて、従って、どのように更に１種のレンズを設計することで、発光ダイオードの光源を有効に向上させることでいうのは、メーカーの研究開発の目的になる。
【考案の開示】
【考案が解決しようとする課題】
【０００５】
上記従来の技術における問題に鑑みて、本考案は発光ダイオードに用いられるレンズを提供し、有効に従来のレンズは発光ダイオードが導出した光源の方向を制御することができない欠点を解決して、更に、好ましい光源の強さを求めるために複数の発光ダイオードで光源強さを増えることによるコストがかかる欠点を克服する。
【０００６】
上記目的を達するために、本考案は発光ダイオードに用いられるレンズに関し、本体に中心軸及びスダンドを備え、且つ中心軸に対し相称する。前記レンズは発光ダイオードに固定され、このスタンドは中央軸と垂直し、更に第一レンズ部と第二レンズ部を含み、また前記第一レンズ部分は、中心に導光室を形成し、前記導光室はアーチ形の第一レンズ部分と第二レンズ部分により構成されている。光線が第一レンズ部に入射する時、光線を反射して、発出した大部分の光線を大体中心軸と平行させる。そして、第一レンズ部を通じて反射してから発出された大部分の光線が第二レンズ部に入射する時、第二レンズ部は光線を反射して、発出した大部分の光線を導出させて且つ中央軸と垂直する。
【０００７】
上記レンズの第一レンズ部は、大抵碗形のレンズとなって、上記第二レンズ部は、大抵Ｍ形のレンズとなって、この第二レンズ部はは、中心軸のＶ形を含み、中心軸から離れて中心軸と平行する線形を持って、第二レンズ部を構成している。更に、このレンズの第二レンズ部も中心軸のＶ形を含み、中心軸から離れて、中心軸と角度のある線形となることができる。
【０００８】
上記のレンズはダイヤモンド研磨を通じて製造されて、モールドに注入して製造されて、鋳型で製造されて、又は精密な研磨で製造されることができる。
【０００９】
上記の発光ダイオードは、赤い発光ダイオードであって、青い発光ダイオードであって、緑の発光ダイオードであって、或いは白い発光ダイオードであることができる。
【課題を解決するための手段】
【００１０】
請求項１の考案は、発光ダイオードに用いられるレンズであり、本体には更に中心軸を含み、中心軸に対し線対向する、前記レンズは発光ダイオードに固定され、更に、第一レンズ部を含み、これにより、光線が第一レンズ部入射すると、光線を反射して、発出した大部分の光線が大体中心軸と平行して、及び第二レンズ部を含み、第一レンズ部を通じて反射してから発出された大部分の光線が第二レンズ部に入射する時、第二レンズ部は光線を反射して、発出した大部分の光線を導出させ、且つ中央軸と垂直させることを特徴とする、発光ダイオードに用いられるレンズとしている。
請求項２の考案は、前記レンズは、更にスダンドを含み、このレンズを発光ダイオードに固定させることを特徴とする請求項１に記載の発光ダイオードに用いられるレンズとしている。
請求項３の考案は、前記スダンドは中心軸と垂直することを特徴とする請求項２に記載の発光ダイオードに用いられるレンズとしている。
請求項４の考案は、前記レンズは、ダイヤモンド研磨を通じて製造されることを特徴とする請求項１に記載の発光ダイオードに用いられるレンズとしている。
請求項５の考案は、前記レンズは、モールドに注入して製造されることを特徴とする請求項１に記載の発光ダイオードに用いられるレンズとしている。
請求項６の考案は、前記レンズは、鋳型で製造されることを特徴とする請求項１に記載の発光ダイオードに用いられるレンズとしている。
請求項７の考案は、前記レンズは、精密な研磨で製造されることを特徴とする請求項１に記載の発光ダイオードに用いられるレンズとしている。
請求項８の考案は、前記発光ダイオードは、赤い発光ダイオードで、青い発光ダイオードで、緑の発光ダイオードで、或いは白い発光ダイオードであることを特徴とする請求項１に記載の発光ダイオードに用いられるレンズとしている。
請求項９の考案は、前記第二レンズ部は、中心軸のＶ形を含み、中心軸から離れて、中心軸と平行する線形を持って、第一レンズ部を構成することを特徴とする請求項１に記載の発光ダイオードに用いられるレンズとしている。
請求項１０の考案は、前記第二レンズ部は、中心軸のＶ形部分を含み、中心軸から離れて、中心軸と角度のある線形を持って、第一レンズ部を構成することを特徴とする請求項１に記載の発光ダイオードに用いられるレンズとしている。
請求項１１の考案は、前記第一レンズ部は、大抵碗形のレンズとなることを特徴とする請求項１に記載の発光ダイオードに用いられるレンズとしている。
請求項１２の考案は、前記第二レンズ部は、大抵大抵Ｍ形のレンズとなることを特徴とする請求項１に記載の発光ダイオードに用いられるレンズとしている。
請求項１３の考案は、前記第一レンズ部は、更に導光室を含むことを特徴とする請求項１に記載の発光ダイオードに用いられるレンズとしている。
請求項１４の考案は前記導光室は、第一導光面と第二導光面を含み、前記第一導光面が凹形となることを特徴とする請求項１に記載の発光ダイオードに用いられるレンズ、としている。
請求項１５の考案は、前記レンズは、透明材質であることを特徴とする請求項１に記載の発光ダイオードに用いられるレンズとしている。
請求項１６の考案は、光線がその第一導光面に射入すると、前記第一導光面は光線を集光することを特徴とする請求項１４に記載の発光ダイオードに用いられるレンズとしている。
請求項１７の考案は、光線がその第二導光面に射入すると、前記第二導光面は光線を屈折することを特徴とする請求項１４に記載の発光ダイオードに用いられるレンズとしている。
請求項１８の考案は、前記第二レンズ部の出光面に蛍光剤を塗られることを特徴とする請求項１に記載の発光ダイオードに用いられるレンズとしている。
【考案の効果】
【００１１】
本考案は発光ダイオードに用いられるレンズを提供し、有効に従来のレンズは発光ダイオードが導出した光源の方向を制御することができない欠点を解決して、更に、好ましい光源の強さを求めるために複数の発光ダイオードで光源強さを増えることによるコストがかかる欠点を克服する。
【考案を実施するための最良の形態】
【００１２】
本考案は発光ダイオードに用いられるレンズに関し、ここでは好ましい導出光源の方向におけるレンズのレンズ構成を有する好ましい実施形態を開示して、導出光源の実施特性の実施方式に用いって説明する。
【００１３】
図１及び図２を参照して、本考案は発光ダイオードに用いられるレンズに関し、このレンズ１は本体１０を含み、この本体１０は、更に中心軸１３及びスダンド１４を備えって、そのレンズ１の本体１０は、中心軸１３に対し相称し、また、このレンズ１はスダンド１４を用いって光源封止２０に固定されて、その光源封止２０は、発光ダイオード２１及び封止ホルダ２２を含み、且つ前記レンズ１のスダンド１４は中央軸１３と垂直して、更に、このレンズ１は第一レンズ部１１と第二レンズ部１２を含み、又は前記第一レンズ部１１は、大抵碗形のレンズとなって、その第一レンズ部１１は、中心所に中心所に導光室１１１を形成して、前記導光室１１１はアーチ形の第一導光面１１１１と第二導光面１１１２で構成されて、このレンズ１の第二レンズ部１２は大抵Ｍ形のレンズとなって、又は、この第二レンズ部１２は、中心軸１３のＶ形１２１を含み、中心軸１３を離れて中心軸１３の線性１２２と平行することで、第二レンズ部１２を構成していたのが、大抵Ｍ形のレンズとなっている。
【００１４】
次に、図１及び図２を参照して、本考案は発光ダイオードに用いられるレンズに関し、レンズ１はスダンド１４により光源封止２０の発光ダイオード２１に固定されている時、発光ダイオード２１が発出する光線はレンズ１の第一レンズ部１１と第二レンズ部１２を介して、有効に導出方向を制御する。具体的に言えば、発光ダイオード２１が発出した光線２１１、２１２はそれぞれ導光室１１１入射してから、前記光線２１１は第一導光面に１１１１に集中効果を生み、及び光線２１２は第二導光面１１１２に屈折効果を生み、レンズ１上方の光漏れを免れる。また、第一レンズ部１１は全光線２１２を反射することで、第一レンズ部１１が発出した大抵の光線は中心軸１３と平行する。更に、第一レンズ部１１を通じて、反射となって発出した大部分の光線２１２は、例えば、光線２１２、或は集光効果の大部分の光線は、例えば、光線２１１が第二レンズ部１２に入射する時、第二レンズ部１２は、全光線を反射して、第二レンズ部１２が発出した大部分の光線が導出されて中央軸１３と垂直する。勿論、本考案のレンズ１は第二レンズ部の出光面に蛍光剤を塗られることで、導出された光線を様々な色に変化して、また、このレンズは光学設計の運用で発光ダイオード２１が発出した大部分の光線は、第一レンズ部１１と第二レンズ部１２に全反射して、また、或は、発光ダイオード２１が発出した大部分の光線は、第二レンズ部１２に全反射して、中央軸１３と平行して或は垂直する。
【００１５】
上記好ましい実施形態が掲載された発光ダイオードに用いられるレンズ１の第二レンズ部１２は、、大抵Ｍ形のレンズ部となって、中心軸１３のＶ形部分１２１を含み、中心軸１３を離れて中心軸１３の線性部分１２２と平行することで構成して、しかし、本考案の実施範囲を限定するものではない。図３及び図４を参照して、本考案のレンズ１'は第二レンズ部１２'は、他の形状となることができて、例えば、中心軸１３'のＶ形部分１２１'も含み、中心軸１３'を離れて夾角の線性部分１２２'となられることで、第二レンズ部１２'の別の様態を構成する。
【００１６】
本考案は発光ダイオードに用いられるレンズに関し、上記のレンズ１（１'）は、透明材質でダイヤモンド研磨を通じて製造されて、モールドに注入して製造されて、鋳型で製造されて、又は精密な研磨で製造されることができる。
【００１７】
本考案は発光ダイオードに用いられるレンズに関して、上記のレンズ１（１'）は、スダンド１４（１４'）を用いって光源封止２０の発光ダイオード２１に固定されて、また、本考案は発光ダイオードに用いられるレンズ１（１'）は、光源封止２０に封止されて一体化の部品となって、且つこの発光ダイオード２１は、赤い発光ダイオードで、青い発光ダイオードで、緑の発光ダイオードで、或いは白い発光ダイオードであることができる 。
【図面の簡単な説明】
【００１８】
【図１】本考案にかかる発光ダイオードのレンズを示す立体図である。
【図２】本考案にかかる発光ダイオードのレンズを示す断面図である。
【図３】本考案にかかる他のレンズを示す立体図である。
【図４】本考案にかかる他のレンズを示す断面図である。
【符号の説明】
【００１９】
１（１'）  レンズ
１０（１０'）  本体
１１（１１'）  第一レンズ部
１１１（１１１'）  導光室
１１１１（１１１１'）  第一導光面  
１１１２（１１１２'）  第二導光面
１２（１２'）  第二レンズ部
１３（１３'）  中心軸
１２１（１２１'）  Ｖ型の形状部分  
１２２（１２２'）  線性部分
１４（１４'）  スダンド
２０  光源封止
２１  発光ダイオード              
２２  封止ホルダ
２１１、２１２  光線
【図１】
0003119709.tif 000003
【図２】
0003119709.tif 000004
【図３】
0003119709.tif 000005
【図４】
0003119709.tif 000006